(57)【要約】【課題】複数の設置方向に対応可能にするとともに、設置や保守点検等の作業時に蓋体が不用意に外れることを防止し、取扱い性が良好で作業性を向上できるヒンジ構造を提供する。【解決手段】光終端装置用収納ボックス１は、固定側筐体１１と可動側筐体１２とを有し、第１ヒンジ部１３には、固定側筐体１１と可動側筐体１２とを所定の回動角度に開いた状態で、可動側筐体１２のヒンジ部の回動軸方向の摺動を規制する固定側係合部１５のピン１５Ｄ及び可動側係合部１６の係合溝１６Ｃによる摺動規制部が設けられ、第２ヒンジ部１４には、所定の回動角度に開いた状態で形状が一致し、可動側筐体１２が回動軸方向に摺動可能になるようにする固定側係合部１７のキー溝１７Ｃ及び可動側係合部１８の摺動キー１８Ｃによる特定形状部が設けられる。【選択図】図１
2008233639.tif 000002
【特許請求の範囲】
【請求項１】
光終端装置を収納するための筐体を構成する固定側筐体及び可動側筐体と、
前記可動側筐体と前記固定側筐体とを回動可能に結合する少なくとも２つの同軸の第１ヒンジ部及び第２ヒンジ部と、
前記第１ヒンジ部または前記第２ヒンジ部に設けられ、少なくとも前記可動側筐体と前記固定側筐体とを所定の回動角度に開いた状態で、前記固定側筐体に対する前記可動側筐体のヒンジ部の回動軸方向の摺動を規制する摺動規制部と、
前記第２ヒンジ部に設けられ、前記所定の回動角度に前記可動側筐体と前記固定側筐体とを開いた状態で回動軸部と軸受け部の形状が一致し、前記可動側筐体が前記固定側筐体に対してヒンジ部の回動軸方向に摺動可能になる特定形状部と、
を備える光終端装置用収納ボックス。
【請求項２】
請求項１の記載の光終端装置用収納ボックスであって、
前記特定形状部は、前記第２ヒンジ部における回動軌跡の円弧に対して回動半径方向に一部が突出または窪んだ異形部分を持ち、この異形部分の形状が前記所定の回動角度において一致する光終端装置用収納ボックス。
【請求項３】
請求項１の記載の光終端装置用収納ボックスであって、
前記特定形状部は、前記第２ヒンジ部の回動軸部の外周側部に回動軸方向に延伸して突出形成された摺動キーと、前記第２ヒンジ部の軸受け部の円周方向の一部に回動軸方向に延伸して形成され、前記所定の回動角度において前記摺動キーの位置と一致して係入可能となるキー溝とを有して構成される光終端装置用収納ボックス。
【請求項４】
請求項１の記載の光終端装置用収納ボックスであって、
前記特定形状部は、前記第２ヒンジ部の回動軸部において回動軌跡の円弧に対して回動半径方向に一部が突出形成された凸部と、前記第２ヒンジ部の軸受け部において形成され、前記所定の回動角度において前記凸部と形状が一致して係入可能となる係合凹部とを有して構成される光終端装置用収納ボックス。
【請求項５】
請求項１の記載の光終端装置用収納ボックスであって、
前記第１ヒンジ部における回動軸部と軸受け部との回動軸方向の係合量は、前記所定の回動角度において前記可動側筐体が摺動するときの前記第２ヒンジ部における回動軸方向の移動量よりも小さく設定される光終端装置用収納ボックス。
【請求項６】
請求項１の記載の光終端装置用収納ボックスであって、
前記摺動規制部は、前記第１ヒンジ部の回動軸部と軸受け部のうちの一方に形成された凸部と、前記回動軸部と軸受け部のうちの他方に形成された凹部とを有してなり、前記第１ヒンジ部の回動に際して前記凸部と前記凹部とが少なくとも前記所定の回動角度において係合してヒンジ部の回動軸方向の摺動を規制するもので、前記回動軸部と軸受け部の少なくとも一方が前記凸部と前記凹部との係合を解除可能な程度に弾性変形可能な部材により構成される光終端装置用収納ボックス。
【請求項７】
請求項１の記載の光終端装置用収納ボックスであって、
前記摺動規制部は、前記第１ヒンジ部または前記第２ヒンジ部の軸受け部に所定の厚さ及び圧縮変形率を持つ弾性部材を配置した構成を有し、前記第１ヒンジ部または前記第２ヒンジ部の回動軸部が前記弾性部材に当接してヒンジ部の回動軸方向の摺動を規制するものである光終端装置用収納ボックス。
【請求項８】
請求項１の記載の光終端装置用収納ボックスであって、
前記第１ヒンジ部と前記第２ヒンジ部の少なくとも一方の軸受け部において、対向する回動軸部の回動外周面に対応する位置に所定の回動角度の状態で前記回動軸部と係合して前記可動側筐体を保持する回動角度保持部を備える光終端装置用収納ボックス。
【請求項９】
請求項８の記載の光終端装置用収納ボックスであって、
前記回動角度保持部は、前記回動軸部の回動外周面に突出形成された凸部と、前記所定の回動角度の状態で前記凸部と係合する係合凹部とを有して構成される光終端装置用収納ボックス。
【請求項１０】
電子機器の構成要素を収納するための電子機器筐体を開閉可能に結合するヒンジ構造であって、
前記電子機器筐体を構成する固定側筐体及び可動側筐体と、
前記可動側筐体と前記固定側筐体とを回動可能に結合する少なくとも２つの同軸の第１ヒンジ部及び第２ヒンジ部と、
前記第１ヒンジ部に設けられ、少なくとも前記可動側筐体と前記固定側筐体とを所定の回動角度に開いた状態で、前記固定側筐体に対する前記可動側筐体のヒンジ部の回動軸方向の摺動を規制する摺動規制部と、
前記第２ヒンジ部に設けられ、前記所定の回動角度に前記可動側筐体と前記固定側筐体とを開いた状態で回動軸部と軸受け部の形状が一致し、前記可動側筐体が前記固定側筐体に対してヒンジ部の回動軸方向に摺動可能になる特定形状部と、
を備えるヒンジ構造。
【発明の詳細な説明】
【技術分野】
【０００１】
本発明は、光終端装置を収納するための光終端装置用収納ボックス、及びこの光終端装置用収納ボックスあるいは電子機器筐体のヒンジ構造に関する。
【背景技術】
【０００２】
近年、ＦＴＴＨ（Fiber to The Home）等の光ファイバ回線網を用いて、テレビの有線放送や電話サービス、高速のインターネット接続サービス等を行う光通信サービスが普及してきている。この種の光通信サービスを行う光ネットワークでは、利用者側のノードに光ファイバケーブルで伝送された光信号を電気信号に変換する光終端装置が接続され、利用者の家屋等やその近傍の屋外等に設置される。そして、光終端装置にモデムや端末等が接続され、サービス提供者との間でデータ通信が行われる。
【０００３】
従来、光終端装置用収納ボックスとして、例えば、特許文献１に記載されている例が公知である。この従来例の光終端装置用収納ボックスは、筐体としてのフレームが長手方向を水平方向にして設置される横長型（横置き型）の構成である。そして、フレームの両側方が開口しており、それぞれの開口を覆う蓋体としての扉が両側面に設けられ、扉の上部がヒンジにより回動可能に取り付けられ、ヒンジを中心に扉が上方に開閉可能に構成されている。また、他の構成の光終端装置用収納ボックスとして、筐体の長手方向を垂直方向にして設置するような縦長型（縦置き型）の構成も知られている。
【０００４】
このような光終端装置用収納ボックスにおいて、一般的なヒンジ構造を適用して蓋体を着脱可能にした場合、ヒンジの回動軸方向にスライドさせて着脱するような構造となる。上記縦長型の構成では、建物の扉などと同様に、蓋体の装着時はヒンジ部が下方向（重力方向）に自重で筐体に係合しており、蓋体を重力に逆らってヒンジの回動軸方向に沿って上方向にスライドさせると外れるような構造が考えられる。
【特許文献１】特表２０００−５０９５１３号公報
【発明の開示】
【発明が解決しようとする課題】
【０００５】
しかしながら、上記のような従来の光終端装置用収納ボックスのヒンジ構造では、光終端装置の設置時や保守点検時などにおいて、収納ボックスを設置方向と逆方向など蓋体が着脱可能となる方向に向けたり、蓋体部分を持ったりすると、蓋体が不意に外れてしまう場合があり、筐体やヒンジ部を破損してしまう等の懸念があった。このため、作業者は特段の注意を払う必要があり、作業性が低下するという問題点があった。
【０００６】
また、従来の光終端装置は、屋外に設置することを前提としているため、収納ボックスの設置方向が縦置きや横置きの１方向に限定されている。最近では、光終端装置を屋外及び屋内のいずれにも設置可能な屋内屋外共用型の光終端装置の提供が望まれている。光終端装置を屋内にも設置可能にする場合は、縦置き、横置き、平置きなど、複数の設置方向に対応可能な構成が好都合である。
【０００７】
本発明は、上記事情に鑑みてなされたもので、複数の設置方向に対応可能にできるとともに、設置や保守点検等の作業時に蓋体が不用意に外れることを防止でき、取扱い性が良好で作業性を向上させることが可能な光終端装置用収納ボックス及びヒンジ構造を提供することを目的とする。
【課題を解決するための手段】
【０００８】
本発明の光終端装置用収納ボックスは、光終端装置を収納するための筐体を構成する固定側筐体及び可動側筐体と、前記可動側筐体と前記固定側筐体とを回動可能に結合する少なくとも２つの同軸の第１ヒンジ部及び第２ヒンジ部と、前記第１ヒンジ部または前記第２ヒンジ部に設けられ、少なくとも前記可動側筐体と前記固定側筐体とを所定の回動角度に開いた状態で、前記固定側筐体に対する前記可動側筐体のヒンジ部の回動軸方向の摺動を規制する摺動規制部と、前記第２ヒンジ部に設けられ、前記所定の回動角度に前記可動側筐体と前記固定側筐体とを開いた状態で回動軸部と軸受け部の形状が一致し、前記可動側筐体が前記固定側筐体に対してヒンジ部の回動軸方向に摺動可能になる特定形状部と、を備えるものである。
【０００９】
これにより、可動側筐体と固定側筐体とを所定の回動角度に開いた状態では、特定形状部における回動軸部と軸受け部の形状が一致し、可動側筐体がヒンジ部の回動軸方向に摺動可能になるが、摺動規制部により可動側筐体の回動軸方向の摺動が規制される。このため、可動側筐体による蓋体が不用意に外れることが防止される。また、作業者が力を加えることによって可動側筐体を回動軸方向に摺動させて固定側筐体から取り外すことが可能である。すなわち、所定の回動角度の回動操作と、摺動規制部の係合を解除する摺動操作との２段階の操作によって可動側筐体を取り外すことができる。また、逆の手順により、取り外した可動側筐体を固定側筐体に装着することができる。したがって、複数の設置方向に対応可能にできるとともに、設置や保守点検等の作業時に蓋体が不用意に外れることを防止でき、取扱い性が良好で作業性を向上させることが可能となる。
【００１０】
また、本発明は、上記の光終端装置用収納ボックスであって、前記特定形状部は、前記第２ヒンジ部における回動軌跡の円弧に対して回動半径方向に一部が突出または窪んだ異形部分を持ち、この異形部分の形状が前記所定の回動角度において一致するものを含む。
これにより、特定形状部において所定の回動角度においてのみ異形部分の形状が一致し、可動側筐体をヒンジ部の回動軸方向に摺動可能にできる。
【００１１】
また、本発明は、上記の光終端装置用収納ボックスであって、前記特定形状部は、前記第２ヒンジ部の回動軸部の外周側部に回動軸方向に延伸して突出形成された摺動キーと、前記第２ヒンジ部の軸受け部の円周方向の一部に回動軸方向に延伸して形成され、前記所定の回動角度において前記摺動キーの位置と一致して係入可能となるキー溝とを有して構成されるものを含む。
これにより、特定形状部において所定の回動角度においてのみ摺動キーとキー溝との位置が一致し、回動軸方向に延伸形成された摺動キーがキー溝に係入可能となるため、可動側筐体をヒンジ部の回動軸方向に摺動可能にできる。
【００１２】
また、本発明は、上記の光終端装置用収納ボックスであって、前記特定形状部は、前記第２ヒンジ部の回動軸部において回動軌跡の円弧に対して回動半径方向に一部が突出形成された凸部と、前記第２ヒンジ部の軸受け部において形成され、前記所定の回動角度において前記凸部と形状が一致して係入可能となる係合凹部とを有して構成されるものを含む。
これにより、特定形状部において所定の回動角度においてのみ凸部と係合凹部と形状が一致し、回動軸方向に係入可能となるため、可動側筐体をヒンジ部の回動軸方向に摺動可能にできる。
【００１３】
また、本発明は、上記の光終端装置用収納ボックスであって、前記第１ヒンジ部における回動軸部と軸受け部との回動軸方向の係合量は、前記所定の回動角度において前記可動側筐体が摺動するときの前記第２ヒンジ部における回動軸方向の移動量よりも小さく設定されるものを含む。
これにより、所定の回動角度において可動側筐体を摺動させた場合、可動側筐体の回動軸方向の移動量よりも第１ヒンジ部における回動軸部と軸受け部との回動軸方向の係合量が小さく設定されているため、第１ヒンジ部の回動軸部と軸受け部との係合が解除され、可動側筐体を固定側筐体から取り外せる状態にできる。
【００１４】
また、本発明は、上記の光終端装置用収納ボックスであって、前記摺動規制部は、前記第１ヒンジ部の回動軸部と軸受け部のうちの一方に形成された凸部と、前記回動軸部と軸受け部のうちの他方に形成された凹部とを有してなり、前記第１ヒンジ部の回動に際して前記凸部と前記凹部とが少なくとも前記所定の回動角度において係合してヒンジ部の回動軸方向の摺動を規制するもので、前記回動軸部と軸受け部の少なくとも一方が前記凸部と前記凹部との係合を解除可能な程度に弾性変形可能な部材により構成されるものを含む。
これにより、少なくとも所定の回動角度において摺動規制部の凸部と凹部とが係合し、可動側筐体の回動軸方向の摺動を規制できる。また、作業者が力を加えることによって弾性変形させて摺動規制部における係合を解除可能であり、所定の回動角度において可動側筐体を摺動させることができる。
【００１５】
また、本発明は、上記の光終端装置用収納ボックスであって、前記摺動規制部は、前記第１ヒンジ部または前記第２ヒンジ部の軸受け部に所定の厚さ及び圧縮変形率を持つ弾性部材を配置した構成を有し、前記第１ヒンジ部または前記第２ヒンジ部の回動軸部が前記弾性部材に当接してヒンジ部の回動軸方向の摺動を規制するものであるものを含む。
これにより、前記第１ヒンジ部または前記第２ヒンジ部に配置した弾性部材により、ヒンジ部を回動軸方向に摺動させようとしたときに回動軸部が弾性部材に当接し、可動側筐体の回動軸方向の摺動を規制できる。また、作業者が力を加えることによって弾性部材を弾性変形させて圧縮させることで、所定の回動角度において可動側筐体を摺動させることができる。
【００１６】
また、本発明は、上記の光終端装置用収納ボックスであって、前記第１ヒンジ部と前記第２ヒンジ部の少なくとも一方の軸受け部において、対向する回動軸部の回動外周面に対応する位置に所定の回動角度の状態で前記回動軸部と係合して前記可動側筐体を保持する回動角度保持部を備えるものを含む。
これにより、回動角度保持部において所定の回動角度で可動側筐体を保持することが可能となり、作業性を向上させることができる。また、所定の回動角度においてクリック感を得ることもできる。
【００１７】
また、本発明は、上記の光終端装置用収納ボックスであって、前記回動角度保持部は、前記回動軸部の回動外周面に突出形成された凸部と、前記所定の回動角度の状態で前記凸部と係合する係合凹部とを有して構成されるものを含む。
これにより、回動角度保持部において所定の回動角度で凸部と係合凹部とが係合し、可動側筐体を保持することが可能となる。
【００１８】
本発明のヒンジ構造は、電子機器の構成要素を収納するための電子機器筐体を開閉可能に結合するヒンジ構造であって、前記電子機器筐体を構成する固定側筐体及び可動側筐体と、前記可動側筐体と前記固定側筐体とを回動可能に結合する少なくとも２つの同軸の第１ヒンジ部及び第２ヒンジ部と、前記第１ヒンジ部に設けられ、少なくとも前記可動側筐体と前記固定側筐体とを所定の回動角度に開いた状態で、前記固定側筐体に対する前記可動側筐体のヒンジ部の回動軸方向の摺動を規制する摺動規制部と、前記第２ヒンジ部に設けられ、前記所定の回動角度に前記可動側筐体と前記固定側筐体とを開いた状態で回動軸部と軸受け部の形状が一致し、前記可動側筐体が前記固定側筐体に対してヒンジ部の回動軸方向に摺動可能になる特定形状部と、を備えるものである。
これにより、電子機器の筐体において、複数の設置方向に対応可能にできるとともに、設置や保守点検等の作業時に可動側筐体による蓋体が不用意に外れることを防止でき、取扱い性が良好で作業性を向上させることが可能となる。
【発明の効果】
【００１９】
本発明によれば、複数の設置方向に対応可能にできるとともに、設置や保守点検等の作業時に蓋体が不用意に外れることを防止でき、取扱い性が良好で作業性を向上させることが可能な光終端装置用収納ボックス及びヒンジ構造を提供できる。
【発明を実施するための最良の形態】
【００２０】
以下、本発明に係る光終端装置用収納ボックス及びヒンジ構造の実施形態について、具体的な構成例を図面を用いて説明する。本実施形態の光終端装置用収納ボックスは、家屋やビル等の屋内、あるいはその近傍の屋外などに設置され、光通信サービス用の光ネットワークの光ファイバケーブルが接続される光終端装置を収納するものである。
【００２１】
（第１の実施形態）
図１は本発明の第１の実施形態に係る光終端装置用収納ボックスの構成を示す斜視図である。図１において、（Ａ）は光終端装置用収納ボックスの上下筐体が開いた状態での背面側から見た全体斜視図、（Ｂ）は第１ヒンジ部の拡大斜視図、（Ｃ）は第２ヒンジ部の拡大斜視図である。
【００２２】
図１（Ａ）に示すように、光終端装置用収納ボックス１は、設置に際して所定の取付面に固定される固定側筐体（下筐体）１１と、第１ヒンジ部１３及び第２ヒンジ部１４を介して固定側筐体１１と開閉自在、かつ着脱可能に取り付けられる可動側筐体（上筐体）１２とを有して構成されている。固定側筐体１１には、後述するように光ファイバの余長部部が収納され、可動側筐体１２には、光ファイバに接続する光終端装置の回路基板が収納される。
【００２３】
この光終端装置用収納ボックス１は、α方向（固定側筐体の長手方向であり第２ヒンジ部から第１ヒンジ部への方向）を上向きとし筐体の長手方向を垂直方向にして設置する縦置き、β方向（固定側筐体の短手方向）を上向きとし筐体の長手方向を水平方向にして垂直面に設置する横置き、γ方向（固定側筐体の底面に垂直な方向）を上向きとし筐体の長手方向を水平方向にして水平面に設置する平置きなどの複数の設置方向に対応可能に構成される。
【００２４】
図１（Ｂ）に示すように、第１ヒンジ部１３は、固定側筐体１１に突出形成された固定側係合部１５が設けられ、可動側筐体１２に突出形成された可動側係合部１６が設けられている。そして、固定側係合部１５に設けられた後述する軸受穴１５Ａと、可動側係合部１６に設けられた後述するヒンジ軸１６Ａとが回動可能に係合する構造である。
【００２５】
また、図１（Ｃ）に示すように、第２ヒンジ部１４は、固定側筐体１１に突出形成された固定側係合部１７が設けられ、可動側筐体１２に突出形成された可動側係合部１８が設けられている。そして、固定側係合部１７に設けられた後述する軸受穴１７Ａと、可動側係合部１８に設けられた後述するヒンジ軸１８Ａとが回動可能に係合する構造である。
【００２６】
ここで、第１ヒンジ部１３の軸受穴１５Ａと第２ヒンジ部１４の軸受穴１７Ａとは、同軸に配置されている。これにより、第１ヒンジ部１３及び第２ヒンジ部１４は、軸受穴１５Ａ、１７Ａ及びヒンジ軸１６Ａ、１８Ａの中心の回動軸の周りに回動可能となる。この回動軸を支点にして可動側筐体１２を回動させることで、固定側筐体１１に対して可動側筐体１２を開閉することができる。また、固定側筐体１１及び可動側筐体１２は、少なくとも固定側係合部１５、１７及び可動側係合部１６、１８が樹脂等の弾性変形可能な部材により構成される。
【００２７】
図２は図１（Ｂ）に示した第１の実施形態の第１ヒンジ部１３の構造を詳細に示す拡大斜視図である。図２において、（Ａ）は可動側係合部１６を、（Ｂ）は固定側係合部１５をそれぞれ示している。
【００２８】
図２（Ａ）に示すように、可動側係合部１６には、回動軸方向に所定の長さａを有する円柱状のヒンジ軸１６Ａが回動軸１９の内側方向に向かって突出するように設けられている。また、可動側係合部１６の先端部１６Ｂは角状に突出形成されており、この先端部１６Ｂには、後述する固定側係合部１５の凸部であるピン１５Ｄが所定の回動角度において係合する凹部である係合溝１６Ｃが設けられている。
【００２９】
図２（Ｂ）に示すように、固定側係合部１５には、ヒンジ軸１６Ａと係合する軸受穴１５Ａが設けられている。軸受穴１５Ａは所定の深さｂを有しており、この深さｂはヒンジ軸１６Ａの長さａとほぼ同一または若干大きく設定され、例えばａ≦ｂとする。また、固定側係合部１５の内側壁面部には、可動側係合部１６の回動外周面の凸部となっている先端部１６Ｂと対向する部分に、先端部１６Ｂと係合して可動側筐体１２を保持する凹部としての内歯歯車状の凹凸部１５Ｂが所定の回動角度ごとに形成されている。
【００３０】
また、固定側係合部１５の内側壁面部には、所定の回動角度の位置に小孔１５Ｃが設けられ、係合溝１６Ｃと係合する半円球状頭部を有するピン１５Ｄが固着されている。このピン１５Ｄは、樹脂等の弾性変形可能な部材により構成される。一方、係合溝１６Ｃは、ピン１５Ｄと同じ曲率半径を有した断面が円弧状のトンネル状の溝となっている。本実施形態では、固定側係合部１５のピン１５Ｄと可動側係合部１６の係合溝１６Ｃとにより摺動規制部が構成される。ここで、可動側係合部１６や固定側係合部１５、凸部となるピン１５Ｄなどは、摺動規制部の係合を作業者の力により解除可能な程度に弾性変形可能な部材により構成されている。
【００３１】
なお、摺動規制部として、ピン１５Ｄの代わりに凸部を形成して設けてもよい。この場合、ピンや凸部は所定の回動角度のみで係合溝１６Ｃと係合するだけでなく、第１ヒンジ部１３が支障なく回動可能になっていれば、係合溝１６Ｃに対応する軌跡上に周状または断続的にピンや凸部を設け、他の回動角度でも係合溝１６Ｃと係合するような構成であってもよい。
【００３２】
ここで、互いに係合する先端部１６Ｂと凹凸部１５Ｂとにより構成される回動角度保持部の機能について説明する。図３は本実施形態の回動角度保持部の構成及び機能を説明するための側面図である。
【００３３】
この回動角度保持部において、可動側係合部１６の先端部１６Ｂと固定側係合部１５の凹凸部１５Ｂは、寸法Ｐの深さで係合しており、固定側係合部１５に対する可動側係合部１６の回動を規制している。これにより、可動側筐体１２を所望の回動角度で保持できるとともに、可動側筐体１２を開閉する際に、先端部１６Ｂと凹凸部１５Ｂの係合が着脱されることによって、適宜のクリック感を得ることができる。したがって、可動側筐体１２を外すときの回動角度で保持可能であり、また、種々の作業などを考慮して、回動角度保持機能を所望の回動角度に複数設けることも可能である。このため、設置や保守点検等の作業時における作業性を向上させることが可能である。
【００３４】
図４は図１（Ｃ）に示した第１の実施形態の第２ヒンジ部１４の構造を詳細に示す拡大斜視図である。図４において、（Ａ）は固定側係合部１７を、（Ｂ）は可動側係合部１８をそれぞれ示している。
【００３５】
図４（Ａ）に示すように、固定側係合部１７には、ヒンジ軸１８Ａと係合する軸受穴１７Ａが設けられている。また、固定側係合部１７の内側壁面部には、可動側係合部１８の先端部１８Ｂと対向する部分に、先端部１８Ｂと係合する内歯歯車状の凹凸部１７Ｂが所定の回動角度ごとに形成されている。また、固定側係合部１７には、可動側係合部１８の後述する摺動キー１８Ｃと係合するキー溝１７Ｃが、軸受穴１７Ａの円周方向の一部に、外周の一部を切り欠いた状態で回動軸方向に延伸して形成されている。
【００３６】
図４（Ｂ）に示すように、可動側係合部１８には、回動軸方向に所定の長さｃを有する円柱状のヒンジ軸１８Ａが回動軸１９の内側方向に向かって突出するように設けられている。また、ヒンジ軸１８Ａには、回動軸方向に所定の長さｅを有して延伸形成され、固定側係合部１７のキー溝１７Ｃと係合する摺動キー１８Ｃがヒンジ軸１８Ａの外周側部に突出して設けられている。摺動キー１８Ｃは、図示したような四角柱等の多角柱や円柱などの形状に形成されている。また、可動側係合部１６と同様に、可動側係合部１８の先端部１８Ｂは角状に突出形成されている。第１の実施形態では、摺動キー１８Ｃ及びキー溝１７Ｃとにより特定形状部が構成される。すなわち、摺動キー１８Ｃの形状がヒンジ部の回動軌跡の円弧に対して回動半径方向に一部が突出または窪んだ異形部分となる。
【００３７】
軸受穴１７Ａは所定の深さｄを有しており、この深さｄはヒンジ軸１８Ａの長さｃとほぼ同一または若干大きく設定され、例えばｃ≦ｄとする。また、キー溝１７Ｃは所定の長さｆを有しており、この長さｆは摺動キー１８Ｃの長さｅより少し大きく設定され、例えばｅ＜ｆとする。
【００３８】
なお、固定側係合部１７のキー溝１７Ｃは、図１（Ｃ）に示すように、光終端装置用収納ボックス１の背部から視認可能な位置に、外側に露呈して配置されている。このため、可動側筐体１２の開閉状態において、キー溝１７Ｃに摺動キー１８Ｃが一致したか否かを目視によって容易に確認することができる。この構造によって、可動側筐体１２を外すときの作業性をさらに向上できる。また、作業者が取扱説明書などを読まなくても適切な作業が行えるので、可動側筐体１２等を適当に動かすなどして誤って破損させることを防止できる。
【００３９】
次に、本実施形態の光終端装置用収納ボックス１の固定側筐体１１及び可動側筐体１２の開閉動作、及び、固定側筐体１１に対して可動側筐体１２を着脱する際の動作について説明する。
【００４０】
光終端装置用収納ボックス１の可動側筐体１２は、第１ヒンジ部１３及び第２ヒンジ部１４によって、固定側筐体１１に対して自在に開閉可能になっている。このとき、所定の回動角度、例えば、可動側筐体１２の回動角度が４５°、９０°、１５０°の状態で、可動側係合部１６、１８及び固定側係合部１５、１７に設けた回動角度保持部として機能する先端部１６Ｂ、１８Ｂと凹凸部１５Ｂ、１７Ｂとが係合することでクリック感を生じ、可動側筐体１２の回動が一旦停止され、回動角度が保持されるようになっている。
【００４１】
図５は第１の実施形態の光終端装置用収納ボックスにおいて可動側筐体を着脱不能である所定角度に開いた状態を示す斜視図である。図５において、（Ａ）は光終端装置用収納ボックスの上下筐体が開いた状態での内面側から見た全体斜視図、（Ｂ）は第１ヒンジ部の拡大斜視図、（Ｃ）は第２ヒンジ部の拡大斜視図である。
【００４２】
図５では、図５（Ａ）に示すように、可動側筐体１２を固定側筐体１１に対して９０°に開いた状態を示している。このとき、図５（Ｂ）に示すように、第１ヒンジ部１３において、固定側係合部１５の凹凸部１５Ｂと可動側係合部１６の先端部１６Ｂとが係合し、回動角度が保持されている。なお図示しないが、第２ヒンジ部１４においても、固定側係合部１７の凹凸部１７Ｂと可動側係合部１８の先端部１８Ｂとが係合し、回動角度が保持されている。
【００４３】
また、この状態では、図５（Ｃ）に示すように、第２ヒンジ部１４において、固定側係合部１７のキー溝１７Ｃの位置に対して可動側係合部１８の摺動キー１８Ｃの位置が外れており、摺動キー１８Ｃの端面と軸受穴１７Ａの上面とが当接した状態で、ヒンジ軸１８Ａが軸受穴１７Ａに係合している。このため、可動側係合部１８は回動軸方向には移動できない状態となっている。なお、回動角度が１５０°の場合でも同様である。
【００４４】
本実施形態では、可動側筐体１２の回動角度が所定の回動角度、ここでは４５°の状態で、図１（Ｃ）に示すように、第２ヒンジ部１４において固定側係合部１７のキー溝１７Ｃの位置と可動側係合部１８の摺動キー１８Ｃの位置とが一致し、可動側係合部１８が回動軸方向Ｓに摺動可能になる。ただし、図１（Ｂ）に示すように、この状態では第１ヒンジ部１３において可動側係合部１６の先端部１６Ｂの係合溝１６Ｃと固定側係合部１５のピン１５Ｄとが係合して保持され、摺動が規制されている。このため、可動側筐体１２はフリーに摺動できず、作業者が力を加えないと回動軸方向Ｓに摺動できないようになっている。
【００４５】
図６は第１の実施形態の光終端装置用収納ボックスにおいて可動側筐体を着脱可能な所定角度に開いた状態を示す斜視図である。図６において、（Ａ）は光終端装置用収納ボックスの上下筐体が開いた状態での背面側から見た全体斜視図、（Ｂ）は第１ヒンジ部の拡大斜視図、（Ｃ）は第２ヒンジ部の拡大斜視図である。
【００４６】
図１の状態から作業者が力を加えて可動側筐体１２を回動軸方向Ｓに摺動させると、図６の状態になる。このとき、図６（Ｂ）に示すように、第１ヒンジ部１３において、ピン１５Ｄと係合溝１６Ｃの係合寸法分だけ可動側係合部１６が弾性変形し、固定側係合部１５のピン１５Ｄを可動側係合部１６の先端部１６Ｂが乗り越えてピン１５Ｄと係合溝１６Ｃとの係合が外れる。同時に、図６（Ｃ）に示すように、第２ヒンジ部１４において、固定側係合部１７のキー溝１７Ｃに可動側係合部１８の摺動キー１８Ｃが係入する。このように可動側筐体１２が回動軸方向Ｓに摺動することによって、第１ヒンジ部１３において、可動側係合部１６のヒンジ軸１６Ａが固定側係合部１５の軸受穴１５Ａから外れ、第１ヒンジ部１３の係合が外れることで可動側筐体１２が固定側筐体１１から取り外される。
【００４７】
図７は可動側筐体１２を固定側筐体１１から着脱する際の動作手順を説明するための動作説明図である。図７において、（Ａ）は通常の開閉動作時の状態、（Ｂ）は可動側筐体１２を着脱可能な位置に回動させた状態、（Ｃ）は（Ｂ）の状態から可動側筐体１２を回動軸方向に摺動させた状態をそれぞれ示したものである。
【００４８】
図７（Ａ）は、通常の開閉動作時において、キー溝１７Ｂと摺動キー１８Ｂの回動方向の位置がずれている場合を示している。このとき、例えば縦置きの状態で設置すると、重力方向は図中Ｇ方向になるので、第１ヒンジ部１３において、固定側係合部１５と可動側係合部１６の対向する各側面は互いに当接し、軸受穴１５Ａとヒンジ軸１６Ａはヒンジ軸１６Ａの長さａで係合する。
【００４９】
またこのとき、第２ヒンジ部１４において、可動側係合部１８のヒンジ軸１８Ａは、固定側係合部１７の軸受穴１７Ａと係合する。このとき、ヒンジ部の寸法にアソビを設けることにより、固定側係合部１７の側面と摺動キー１８Ｃの先端との間に幅ｇのクリアランスを形成するギャップがあるものとする。なお、この状態での寸法関係は、軸受穴１５Ａとヒンジ軸１６Ａの係合長さａ、ヒンジ軸１８Ａの長さｃ、摺動キー１８Ｃの長さｅ、ギャップの幅ｇ、ヒンジ軸１８Ａの端面から軸受穴１７Ａの底面までの長さｈとしたとき、ｅ＜ｃ、ｇ＜（ｃ−ｅ）、ａ＜ｈの関係を満たすように設定する。図７（Ａ）の状態では、可動側係合部１８と固定側係合部１７は相互に干渉することなく係合し、可動側筐体１２は固定側筐体１１に対してヒンジ部により開閉自在な状態にある。また、樹脂部材等で構成された可動側筐体１２や固定側筐体１１に撓みが生じても、可動側筐体１２が外れないような寸法の構成になっている。
【００５０】
図７（Ｂ）は、固定側筐体１１に対して可動側筐体１２を回動させ、可動側係合部１８の摺動キー１８Ｃと固定側係合部１７のキー溝１７Ｃの回動方向位置を一致させた場合を示している。このとき、第２ヒンジ部１４では、摺動キー１８Ｃがキー溝１７Ｃに沿って移動可能であり、回動軸方向Ｓに摺動可能な状態になる。ただし、可動側係合部１８と固定側係合部１７の回動軸方向における位置関係は、図７（Ａ）の場合と同じである。
【００５１】
ここで、上述したように、図７（Ｂ）に示す状態の時には、固定側係合部１５のピン１５Ｄは、可動側係合部１６の係合溝１６Ｃと係合した状態になっており、可動側筐体１２の回動軸方向の摺動を規制している。このため、可動側筐体１２を回動させる途中で、たとえ、摺動キー１８Ｃとキー溝１７Ｃの位置が一致した状態となっても、そのまま可動側筐体１２が回動軸方向にスライドして固定側筐体１１から外れることはない。
【００５２】
図７（Ｃ）は、ピン１５Ｄと係合溝１６Ｃの係合による規制に抗して、作業者が力を加えて可動側筐体１２を回動軸の内側方向（回動軸方向Ｓ）に摺動させ、摺動キー１８Ｃをキー溝１７Ｃにすべり込ませて係入した場合を示している。このとき、上述したように、第１ヒンジ部１３において可動側係合部１６が弾性変形し、ピン１５Ｄと係合溝１６Ｃとの係合が外れて規制が解除される。そして、図７（Ａ）の状態でヒンジ軸１８Ａの端面から軸受穴１７Ａの底面までの長さｈの分だけ、回動軸方向Ｓに摺動する。ここで、第１ヒンジ部１３における軸受穴１５Ａとヒンジ軸１６Ａの回動軸方向の係合量ａは、可動側筐体１２が摺動するときの第２ヒンジ部１４における回動軸方向の移動量ｈよりも小さく設定され、寸法関係がａ＜ｈとなっている。このため、可動側筐体１２の摺動時には、第２ヒンジ部１４の固定側係合部１７の軸受穴１７Ａと可動側係合部１８のヒンジ軸１８Ａは係合を保持したままであるが、第１ヒンジ部１３の軸受穴１５Ａとヒンジ軸１６Ａはその係合が解かれる。
【００５３】
このように可動側係合部１６を固定側係合部１５と干渉しない位置までずらし、続いて可動側筐体１２を回動軸に対してやや斜め方向にスライドさせると、軸受穴１７Ａとヒンジ軸１８Ａの係合が解放される。これによって、第１ヒンジ部１３及び第２ヒンジ部１４を介した可動側筐体１２と固定側筐体１１との結合が解かれ、可動側筐体１２を固定側筐体１１から取り外すことができる。また、逆の手順により、取り外した可動側筐体１２を固定側筐体１１に装着することができる。
【００５４】
上述したように、本実施形態の光終端装置用収納ボックスのヒンジ構造では、固定側筐体１１に設けられた固定側係合部１５の軸受穴１５Ａと可動側筐体１２に設けられた可動側係合部１６のヒンジ軸１６Ａとが互いに係合する第１ヒンジ部１３と、固定側係合部１７の軸受穴１７Ａと可動側係合部１８のヒンジ軸１８Ａとが互いに係合する第２ヒンジ部１４とを有する。そして、固定側係合部１７にはキー溝１７Ｃを設け、可動側係合部１８には摺動キー１８Ｃを設けて、所定の回動角度で両者の位置が一致するようにし、この状態で摺動キー１８Ｃをキー溝１７Ｃに係入させ、可動側筐体１２を回動軸方向へ摺動可能にしている。これにより、可動側筐体１２を摺動させて第１ヒンジ部１３の係合を解除し、続いて、可動側筐体１２を反対方向へ摺動させて第２ヒンジ部１４の係合を解除することで、可動側筐体１２を固定側筐体１１から取り外すことができる。また、固定側係合部１５にはピン１５Ｄを設け、可動側係合部１６には係合溝１６Ｃを設けて、キー溝１７Ｃと摺動キー１８Ｃの回動方向位置が一致した状態で、ピン１５Ｄと係合溝１６Ｃとが係合するように構成し、このときの可動側筐体１２の回動軸方向の移動を規制している。これにより、意図しない可動側筐体１２の摺動を防止できる。
【００５５】
以上のようなヒンジ構造により、作業者は工具を用いることなく、所定回動角度への回動操作と摺動規制を解除する摺動操作の２段階の操作により、可動側筐体を固定側筐体から簡単に取り外すことができる。また、意図しない状態で不意に可動側筐体が外れることを防止できる。したがって、作業者が取り扱いに特段の注意を払わなくても、破損等の不具合を無くすことができる。また、光終端装置用収納ボックスの設置方向が１方向に限定されることがなく、複数の方向に設置可能であり、１種類の収納ボックスで光終端装置を屋外用と屋内用に共用することができる。
【００５６】
（第２の実施形態）
図８は本発明の第２の実施形態に係る光終端装置用収納ボックスの可動側筐体の構成を示す斜視図である。
【００５７】
第２の実施形態は第１の実施形態の変形例であり、第２ヒンジ部２４の構成を変更したものである。第１ヒンジ部２３については、第１の実施形態と同様の構成であるので、ここでは説明を省略する。
【００５８】
可動側筐体２２には、第１の実施形態と同様、可動側係合部２６、２８が突出形成されて設けられている。第２ヒンジ部２４の可動側係合部２８には、第１の実施形態のような摺動キーが設けられず、円柱状のヒンジ軸２８Ａが設けられている。なお、図示しないが、可動側筐体２２と回動可能に取り付けられる固定側筐体には、可動側係合部２６、２８と係合する固定側係合部が設けられる。
【００５９】
図９は第２の実施形態の第２ヒンジ部２４の構造を詳細に示す拡大斜視図である。図９において、（Ａ）は固定側係合部２７を、（Ｂ）は可動側係合部２８をそれぞれ示している。
【００６０】
図９（Ａ）に示すように、固定側係合部２７には、ヒンジ軸２８Ａと係合する軸受穴２７Ａが設けられている。また、固定側係合部２７の内側壁面部には、第１の実施形態と同様、可動側係合部２８の先端部２８Ｂと対向する部分に、先端部２８Ｂと係合する凹凸部２７Ｂが所定の回動角度ごとに形成されている。また、固定側係合部２７には、可動側係合部２８の先端部２８Ｂを含む少なくとも一部の外形と形状が一致して係合するように、回動方向（周方向）に異形となった係合凹部２７Ｃが設けられている。この係合凹部２７Ｃにおいて、可動側係合部２８の先端部２８Ｂと係合する凹部２７Ｄが形成されている。
【００６１】
図９（Ｂ）に示すように、可動側係合部２８には、回動軸方向に所定の長さを有する円柱状のヒンジ軸２８Ａが回動軸２９の内側方向に向かって突出するように設けられている。また、可動側係合部２８の先端部２８Ｂは角状に突出形成され、ヒンジ部の回動軌跡の円弧に対して回動半径方向に一部が突出形成された凸部となっており、可動側係合部２８が回動方向（周方向）に異形の形状となっている。第２の実施形態では、可動側係合部２８の先端部２８Ｂを含む異形部と係合凹部２７Ｃとにより特定形状部が構成される。すなわち、可動側係合部２８及び係合凹部２７Ｃの形状がヒンジ部の回動軌跡の円弧に対して回動半径方向に一部が突出または窪んだ異形部分となる。その他の部分は第１の実施形態と同様であり、説明を省略する。
【００６２】
第２の実施形態では、通常の開閉動作時においては、可動側係合部２８の形状と固定側係合部２７の係合凹部２７Ｃの形状とが一致せず、固定側係合部２７の内側端面と可動側係合部２８のヒンジ軸２８Ａの元の内側端面とが当接し、可動側係合部２８のヒンジ軸２８Ａと固定側係合部２７の軸受穴２７Ａとが係合する。これにより、可動側筐体２２が固定側筐体に対してヒンジ部により開閉自在な状態にある。
【００６３】
そして、可動側筐体２２を回動させ、所定の回動角度となった場合に、可動側係合部２８の形状と固定側係合部２７の係合凹部２７Ｃの形状とが一致し、可動側係合部２８が回動軸方向に摺動可能な状態になる。なおこのとき、第１の実施形態と同様に、第１ヒンジ部２３において可動側筐体２２の回動軸方向の摺動が規制されている。この状態から、摺動規制に抗して作業者が力を加えて可動側筐体２２を回動軸方向に摺動させることで、固定側係合部２７の係合凹部２７Ｃに対して可動側係合部２８が収納されるように係入されて両者が係合する。これにより、可動側筐体２２が回動軸方向に摺動し、第１ヒンジ部２３において軸受穴とヒンジ軸との係合が解かれ、可動側筐体２２を固定側筐体から取り外すことができる。
【００６４】
このように、第２の実施形態においても、第１の実施形態と同様に、作業者は工具を用いることなく、所定回動角度への回動操作と摺動規制を解除する摺動操作の２段階の操作により、可動側筐体を固定側筐体から簡単に取り外すことができる。また、意図しない状態で不意に可動側筐体が外れることを防止できる。
【００６５】
（第３の実施形態）
図１０は本発明の第３の実施形態に係る光終端装置用収納ボックスの固定側筐体の構成を示す斜視図である。
【００６６】
第３の実施形態は第１の実施形態の他の変形例であり、第２ヒンジ部３４の構成を変更し、第２ヒンジ部３４側に摺動規制部及び特定形状部を設けて構成したものである。第１ヒンジ部３３については、第１の実施形態とほぼ同様であり、異なる点は、摺動規制部の機能を持つ可動側係合部１６の係合溝１６Ｃ及び固定側係合部１５のピン１５Ｄを設けない構成とした点である。ここでは第２ヒンジ部３４を中心に説明する。
【００６７】
固定側筐体３１には、第１の実施形態と同様、固定側係合部３５、３７が突出形成されて設けられている。第２ヒンジ部３４の固定側係合部３７には、可動側係合部のヒンジ軸と係合する軸受穴３７Ａが設けられ、この軸受穴３７Ａの底部に弾性を有する柱状の弾性部材３９が収納されて配置される。なお、図示しないが、固定側筐体３１と回動可能に取り付けられる可動側筐体には、固定側係合部３５、３７と係合する可動側係合部が設けられる。
【００６８】
図１１は第３の実施形態の第２ヒンジ部３４の構造を詳細に示す図である。図１１において、（Ａ）は固定側係合部３７の拡大斜視図であり、（Ｂ）は第２ヒンジ部３４における位置関係を示す説明図である。
【００６９】
図１１（Ａ）に示すように、固定側係合部３７には、ヒンジ軸と係合する軸受穴３７Ａが設けられ、可動側係合部の摺動キーと係合するキー溝３７Ｃが、軸受穴３７Ａの円周方向の一部に、外周の一部を切り欠いた状態で回動軸方向に延伸して形成されている。また、固定側係合部３７の内側壁面部には、可動側係合部の先端部と係合する内歯歯車状の凹凸部３７Ｂが所定の回動角度ごとに形成されている。
【００７０】
そして、軸受穴３７Ａの底部の平面部分に、弾性を有し軸方向に圧縮変形及び復元が可能な柱状の弾性部材３９が収納され、両面テープや接着剤等で取り付けられて固定されている。弾性部材３９は、所定の厚さ及び圧縮変形率を持つ発泡ゴム等で形成され、可動側筐体を回動軸方向に摺動させようとしたときに可動側係合部のヒンジ軸の端部が当接し、可動側係合部の回動軸方向の移動を規制するものである。この弾性部材３９は、所定値以上の力でヒンジ軸によって押圧されると圧縮され、可動側筐体を固定側筐体３１に対してスライドさせることが可能になっている。また、弾性部材３９は、ヒンジ軸による押圧力が無くなると元の状態に復元する。この弾性部材３９は、可動側筐体と固定側筐体とを取り付けた状態では、軸受穴３７Ａ及びヒンジ軸に囲まれた状態にあるため、接着等の固定が外れても脱落することはない。
【００７１】
第３の実施形態における第２ヒンジ部３４の寸法関係は、図７に示した第１の実施形態と同様である。図１１（Ｂ）に示すように、可動側係合部３８のヒンジ軸３８Ａが固定側係合部３７の軸受穴３７Ａに係合した状態で、可動側係合部３８の摺動キー３８Ｃと固定側係合部３７のキー溝３７Ｃの回動方向位置が一致した場合であっても、厚さのある弾性部材３９が配置されているため、可動側係合部３８が回動軸方向Ｓに容易に摺動できないようになっている。すなわち、図７（Ａ）から図７（Ｂ）の状態になり、可動側筐体が回動軸方向に摺動可能になっても、弾性部材３９の弾性による反力により、不用意に図７（Ｃ）の状態になって可動側筐体が外れない構造となっている。
【００７２】
第３の実施形態では、可動側筐体を取り外す場合、図７（Ｂ）と同様の状態として可動側係合部３８の摺動キー３８Ｃと固定側係合部３７のキー溝３７Ｃとを一致させ、この位置から作業者が力を加えてヒンジ軸３８Ａで弾性部材３９を押圧して弾性変形させ、可動側筐体を回動軸の内側方向（回動軸方向Ｓ）に摺動させる。このとき、図７（Ｃ）と同様に摺動キー３８Ｃがキー溝３７Ｃに係入されて可動側筐体が摺動し、第１ヒンジ部３３の可動側係合部のヒンジ軸が固定側係合部３５の軸受穴から外れ、第１ヒンジ部３３における係合が解かれる。これにより、可動側筐体を固定側筐体３１から取り外すことができる。
【００７３】
このように、第３の実施形態においても、第１の実施形態と同様に、作業者は工具を用いることなく、所定回動角度への回動操作と摺動規制を解除する摺動操作の２段階の操作により、可動側筐体を固定側筐体から簡単に取り外すことができる。また、意図しない状態で不意に可動側筐体が外れることを防止できる。
【００７４】
図１２及び図１３は本実施形態の光終端装置用収納ボックスを適用する光終端装置の構成例を示す図である。図１２は光終端装置の構成を示す分解斜視図、図１３は光終端装置の筐体を開いた状態を示す断面図である。
【００７５】
光終端装置５０は、光終端装置用収納ボックスによる筐体として、固定側筐体５１と可動側筐体５２とを備えている。固定側筐体５１は、取付面６０に取り付け固定され、この固定側筐体５１と可動側筐体５２とがヒンジ部５３により開閉可能に取り付けられている。ヒンジ部５３は、前述した光終端装置用収納ボックスと同様に、固定側筐体５１に固定側係合部５５が、可動側筐体５２に可動側係合部５６がそれぞれ設けられ、固定側係合部５５の軸受穴５５Ａと可動側係合部５６のヒンジ軸５６Ａとが互いに係合して回動自在になっている。
【００７６】
固定側筐体５１には、光通信サービス用の光ネットワークより利用者の家屋等に配線された光ファイバ６１が収納される。固定側筐体５１の内部には光ファイバの余長処理部６２が設けられ、この余長処理部６２の巻取ドラム６３に光ファイバ６１の余長部６１Ａが巻回されて収納される。一方、可動側筐体５２には回路基板６４が取り付けられて収納される。この回路基板６４は、電子部品６５等を実装して光終端装置の処理回路を構成するものである。そして、光ファイバ６１の端部が回路基板６４の接続部に接続され、光ファイバ６１を伝送された光信号が回路基板６４で電気信号に変換される。
【００７７】
このような光終端装置５０に本実施形態の光終端装置用収納ボックスの構成を適用することにより、作業者は工具を用いることなく、可動側筐体を固定側筐体から簡単に取り外すことができる。また、意図しない状態で不意に可動側筐体が外れることを防止できる。このため、例えば保守点検時などに可動側筐体を取り外して交換するだけで、簡単に回路基板６４等の主要な部品を交換することも可能である。また、光終端装置５０は設置方向が１方向限定でなく、設置方向を選ばないので、複数の方向に設置可能であり、複数の場合の設置状況に対応できる。よって、筐体の基本構造を屋外用と屋内用などの複数用途で共用とすることができる。
【００７８】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【００７９】
例えば、本発明のヒンジ構造は、光終端装置用収納ボックスのみならず、その他の電子機器用の収納ボックスや筐体にも適用可能である。このような電子機器においても、作業者が取り扱いに特段の注意を払う必要がなく、不意に外れるようなことを防止しつつ、簡単に筐体を着脱することができる。また、複数方向の設置に対応可能にできる。
【産業上の利用可能性】
【００８０】
本発明は、複数の設置方向に対応可能にできるとともに、設置や保守点検等の作業時に蓋体が不用意に外れることを防止でき、取扱い性が良好で作業性を向上させることが可能となる効果を有し、光終端装置を収納するための光終端装置用収納ボックス、及びこの光終端装置用収納ボックスあるいは電子機器筐体のヒンジ構造等に有用である。
【図面の簡単な説明】
【００８１】
【図１】本発明の第１の実施形態に係る光終端装置用収納ボックスの構成を示す斜視図
【図２】第１の実施形態の第１ヒンジ部の構造を詳細に示す拡大斜視図
【図３】本実施形態の回動角度保持部の構成及び機能を説明するための側面図
【図４】第１の実施形態の第２ヒンジ部の構造を詳細に示す拡大斜視図
【図５】第１の実施形態の光終端装置用収納ボックスにおいて可動側筐体を着脱可能な所定角度に開いた状態を示す斜視図
【図６】第１の実施形態の光終端装置用収納ボックスにおいて可動側筐体を着脱可能な所定角度に開いた状態を示す斜視図
【図７】本実施形態における可動側筐体を固定側筐体から着脱する際の動作手順を説明するための動作説明図
【図８】本発明の第２の実施形態に係る光終端装置用収納ボックスの可動側筐体の構成を示す斜視図
【図９】第２の実施形態の第２ヒンジ部の構造を詳細に示す拡大斜視図
【図１０】本発明の第３の実施形態に係る光終端装置用収納ボックスの固定側筐体の構成を示す斜視図
【図１１】第３の実施形態の第２ヒンジ部の構造を詳細に示す図
【図１２】光終端装置の構成を示す分解斜視図
【図１３】光終端装置の筐体を開いた状態を示す断面図
【符号の説明】
【００８２】
１  光終端装置用収納ボックス
１１、３１  固定側筐体
１２、２２  可動側筐体
１３、１４、２３、２４、３３、３４  ヒンジ部
１５、１７、３５、３７  固定側係合部
１５Ａ、１７Ａ、２７Ａ、３７Ａ  軸受穴
１５Ｂ、１７Ｂ、２７Ｂ、３７Ｂ  凹凸部
１５Ｃ  小孔
１５Ｄ  ピン
１６、１８、２６、２８  可動側係合部
１６Ａ、１８Ａ、２８Ａ、３８Ａ  ヒンジ軸
１６Ｂ、１８Ｂ、２８Ｂ  先端部
１７Ｃ、３７Ｃ  キー溝
１８Ｃ、３８Ｃ  摺動キー
２７Ｃ  係合凹部
２７Ｄ  凹部
３９  弾性部材
【図１】
2008233639.tif 000003
【図２】
2008233639.tif 000004
【図３】
2008233639.tif 000005
【図４】
2008233639.tif 000006
【図５】
2008233639.tif 000007
【図６】
2008233639.tif 000008
【図７】
2008233639.tif 000009
【図８】
2008233639.tif 000010
【図９】
2008233639.tif 000011
【図１０】
2008233639.tif 000012
【図１１】
2008233639.tif 000013
【図１２】
2008233639.tif 000014
【図１３】
2008233639.tif 000015